(57)【特許請求の範囲】
【請求項１】
車両前部のバンパーレインフォースメントよりも車両上方側に配置した開閉自在なシャッターユニットと、
該シャッターユニットよりも車両前方に配置したバンパーフェースに開口形成するとともに、前記シャッターユニットと対向するグリル開口部と、
該グリル開口部から前記シャッターユニットへ導風する導風部材とを備えた自動車の前部整流構造であって、
前記シャッターユニットに、
開閉自在に支持されたフラップと、
該フラップを一体的に囲繞するシャッター枠部と、
該シャッター枠部の側部、または下部に設けるとともに、前記フラップを開閉駆動する駆動機構部とを備え、
前記導風部材を、
車両上下方向において、前記バンパーレインフォースメントに近接配置するとともに、正面視において、前記シャッター枠部、及び前記駆動機構部を一体的に囲う車両上方が開口した正面視略コ字状に形成した
自動車の前部整流構造。
【請求項２】
前記シャッターユニットを、
前記グリル開口部に対して車両前後方向で対向配置するとともに、前記グリル開口部の開口範囲内において対向可能な大きさに形成した
請求項１に記載の自動車の前部整流構造。
【請求項３】
前記シャッターユニットよりも車両前方における車幅方向の略中央に、
前記バンパーフェースよりも車両前方を検知する所定の電子機器を備え、
前記駆動機構部を、
前記シャッター枠部の側部に配置した
請求項１または請求項２に記載の自動車の前部整流構造。
【請求項４】
前記シャッターユニットよりも車両上方側に、冷却が所望される発熱機器を備え、
前記導風部材に、
前記シャッターユニットの前記駆動機構部よりも車両上方において、前記発熱機器近傍と連通する連通路を備えた
請求項１から請求項３のいずれか１つに記載の自動車の前部整流構造。
【発明の詳細な説明】
【技術分野】
【０００１】
この発明は、例えば、車両前部に開口形成したグリル開口部からエンジンルーム内へ流入する外気の流動を制御するシャッターユニットを備えたような自動車の前部整流構造に関する。
【背景技術】
【０００２】
自動車の前部は、バンパーフェースに開口形成したグリル開口部を介して、外気をエンジンルーム内に取り込み、ラジエーターやインタークーラーなどの熱交換器、及びエンジンを冷却可能に構成している。  
さらに、昨今では、さらなる燃費向上や排出ガス低減を図るために、グリル開口部から流入した外気の流動を制御するシャッターユニットを備えた自動車が知られている（特許文献１、及び特許文献２参照）。
【０００３】
このシャッターユニットは、エンジン内を循環する潤滑油の油温や冷却水の水温、あるいは車速に応じて開閉する複数のフラップを備えている。例えば、シャッターユニットは、フラップを閉じることにより、熱交換器やエンジンに対して外気の供給を阻害することができる。これにより、潤滑油や冷却水を、所望する温度に早期に上昇させることができ、所謂、暖気運転に伴う燃費悪化を抑制している。
【０００４】
あるいは、車速に応じてフラップを開閉することで、シャッターユニットは、エンジンルーム内への外気の流動を抑制して、エンジンルームから車両後方へ流下した外気と、車両側部を流下した走行風との合流による乱流の発生を抑制することができる。これにより、乱流による走行抵抗の増加を抑制して、燃費向上や排出ガスの低減を図っている。
【０００５】
このようなシャッターユニットとして、例えば、特許文献１には、グリル開口部（エア取入口１３ａ，１３ａ）から流入した外気を導風する導風部材（ダクト部２１，２２）と、導風部材の内部に揺動可能に支持されたフラップ（シャッター２３，４３）と、導風部材の外部に配置するとともにフラップを開閉駆動する駆動機構部（駆動装置３６，３７）とを備えたダクト装置１０が開示されている。
【０００６】
特許文献１のような構成のシャッターユニットの場合、エンジンによって熱せられた熱気が、ラジエーターファンの圧力などによって循環して車両前方へ還流すると、駆動機構部が熱気にさらされることになる。このため、駆動機構部の温度が安定して動作する範囲を超えると、シャッターユニットの動作に不具合が生じるおそれがあった。
【０００７】
そこで、例えば、例えば、特許文献２のシャッターユニット（グリルシャッタ装置１０）のように、車幅方向の略中央に駆動機構部（アクチュエータ１８）を配置する、すなわち特許文献１の導風部材の内部に駆動機構部を配置することで、車両前部を還流する熱気から駆動機構部を保護することができる。
【０００８】
しかしながら、導風部材の内部に駆動機構部を配置すると、フラップが開いた際、駆動機構部が抵抗となって外気がスムーズに車両後方へ流動しない、あるいは外気が通過する開口面積が小さくなるため、所望する流量の外気が熱交換器に供給されないおそれがあった。
【先行技術文献】
【特許文献】
【０００９】
【特許文献１】特開２００４−２９９５２２号公報
【特許文献２】特開２０１３−７１６２１号公報
【発明の概要】
【発明が解決しようとする課題】
【００１０】
本発明は、上述の問題に鑑み、シャッターユニットを通過する外気の流動を阻害することなく、車両前部を還流する熱気による駆動機構部の不具合を防止できる自動車の前部整流構造を提供することを目的とする。
【課題を解決するための手段】
【００１１】
この発明は、車両前部のバンパーレインフォースメントよりも車両上方側に配置した開閉自在なシャッターユニットと、該シャッターユニットよりも車両前方に配置したバンパーフェースに開口形成するとともに、前記シャッターユニットと対向するグリル開口部と、該グリル開口部から前記シャッターユニットへ導風する導風部材とを備えた自動車の前部整流構造であって、前記シャッターユニットに、開閉自在に支持されたフラップと、該フラップを一体的に囲繞するシャッター枠部と、該シャッター枠部の側部、または下部に設けるとともに、前記フラップを開閉駆動する駆動機構部とを備え、前記導風部材を、車両上下方向において、前記バンパーレインフォースメントに近接配置するとともに、正面視において、前記シャッター枠部、及び前記駆動機構部を一体的に囲う車両上方が開口した正面視略コ字状に形成したことを特徴とする。
【００１２】
上記シャッターユニットは、車両上下方向に平板状のフラップを並置した構成、あるいは車幅方向に平板状のフラップを並置した構成などとすることができる。  
上記駆動機構部は、フラップに連結されたリンク機構、歯車、及び歯車やリンクを駆動させる駆動モーターなどとすることができ、シャッター枠部の側面、上面、あるいは下面に配置することができる。  
上記導風部材は、合成樹脂製、あるいは金属製とすることができ、例えば、車両上方側が開口した正面視略コ字状の導風部材することができる。あるいは、正面視略矩形の筒状体などすることができる。
【００１３】
この発明により、シャッターユニットを通過する外気の流動を阻害することなく、車両前部を還流する熱気による駆動機構部の不具合を防止することができる。  
具体的には、シャッター枠部の外周面に駆動機構部を配置しているため、シャッターユニットは、シャッター枠部の内部に駆動機構部を配置した場合に比べて、フラップが開いた状態におけるシャッター枠部の開口面積を所望する大きさで、確実に確保することができる。
【００１４】
そして、シャッター枠部と駆動機構部とを一体的に囲う形状に形成したことにより、導風部材は、グリル開口部から流入した外気を駆動機構部にも導風することができる。このため、自動車の前部整流構造は、フラップの開閉状態に関わらず、シャッター枠部の外周面に配置した駆動機構部を常時冷却することができる。
【００１５】
さらに、グリル開口部から流入した外気によって、車両前部を還流する熱気は、より車両上方へ流動し易くなる。このため、例えば、車両上方が開口した正面視略コ字状の導風部材の場合であっても、導風部材は、車両前部を還流する熱気が、導風部材の側方から内部へ流入することを阻止することができる。
【００１６】
これにより、自動車の前部整流構造は、車両上方が開口した正面視略コ字状の導風部材であっても、車両前部を還流する熱気に、駆動機構部がさらされることを防止できる。
【００１７】
従って、自動車の前部整流構造は、シャッター枠部の外周面に配置した駆動機構部を一体的に囲う導風部材によって、シャッターユニットを通過する外気の流動を阻害することなく、車両前部を還流する熱気による駆動機構部の不具合を防止することができる。
【００１８】
さらにこの発明は、前記駆動機構部を、前記シャッター枠部の側部、または下部に備え、前記導風部材を、車両上下方向において、前記バンパーレインフォースメントに近接配置するとともに、正面視において車両上方が開口した正面視略コ字状に形成したことにより、万一、フラップが閉じたままの状態になっても、シャッターユニットよりも車両後方へ外気を供給することができ、例えば、エンジンルーム内の熱害を抑制することができる。
【００１９】
具体的には、例えば、グリル開口部とシャッターユニットとを連結する略筒状の導風部材の場合、万一、フラップが閉じたままの状態になると、シャッターユニットの後方に配置した熱交換器やエンジンに外気が供給されなくなる。このため、熱交換器などを冷却することができず、かつエンジンによって暖められた熱気が滞留するため、エンジンルーム内において、各部品に熱害が発生するおそれがあった。
【００２０】
そこで、車両上方が開口した正面視略コ字状に導風部材を形成したことにより、導風部材は、フラップが閉じたシャッターユニットとの協働によって、グリル開口部を介して流入した外気を、車両上方側の開口を介して、車両後方へ供給することができる。
【００２１】
これにより、自動車の前部整流構造は、万一、フラップが閉じたままの状態になっても、シャッターユニットの後方における上部空間に溜まった熱気を、車両後方へ送風することができる。このため、自動車の前部整流構造は、万一、フラップが閉じたままの状態になっても、エンジンルーム内の熱害を抑制することができる。
【００２２】
さらに、フラップが閉じた状態の場合、シャッターユニットと導風部材との協働によって、例えば、シャッターユニットの後方に配置した熱交換器やエンジンに対して、グリル開口部から流入した外気が直接的に供給され難くなる。
【００２３】
このため、車両上方が開口した正面視略コ字状の導風部材であっても、自動車の前部整流構造は、フラップを閉じることで、例えば、エンジンルーム内の上部空間に溜まり易い熱気を車両後方へ送風しながら、冷却水や潤滑油を所望する温度に早期に上昇させることができる。
【００２４】
従って、自動車の前部整流構造は、車両上方が開口した正面視略コ字状の導風部材によって、万一、フラップが閉じたままの状態になっても、シャッターユニットよりも車両後方へ外気を供給することができ、例えば、エンジンルーム内の熱害を抑制することができる。
【００２５】
この発明の態様として、前記シャッターユニットを、前記グリル開口部に対して車両前後方向で対向配置するとともに、前記グリル開口部の開口範囲内において対向可能な大きさに形成することができる。
【００２６】
この発明により、自動車の前部整流構造は、シャッターユニットを通過する外気の流動を阻害することなく、駆動機構部をより安定して冷却することができる。  
具体的には、グリル開口部の開口範囲内において対向可能な大きさにシャッターユニットを形成したことにより、駆動機構部は、グリル開口部と確実に対向することができる。
【００２７】
さらに、シャッター枠部と駆動機構部とを一体的に囲繞する導風部材により、自動車の前部整流構造は、グリル開口部を介して流入した外気をより安定して駆動機構部に導風することができる。
【００２８】
加えて、正面視におけるグリル開口部の開口面積に対して、正面視におけるシャッター枠部の面積が小さい場合、シャッターユニットは、シャッター枠部を通過する外気の流速が低下することを防止できる。
【００２９】
このため、自動車の前部整流構造は、例えば、シャッターユニットよりも車両後方に配置した熱交換器などに対して、外気を確実に供給することができる。  
従って、自動車の前部整流構造は、グリル開口部の開口範囲内において対向可能な大きさにシャッターユニットを形成したことにより、シャッターユニットを通過する外気の流動を阻害することなく、駆動機構部をより安定して冷却することができる。
【００３０】
またこの発明の態様として、前記シャッターユニットよりも車両前方における車幅方向の略中央に、前記バンパーフェースよりも車両前方を検知する所定の電子機器を備え、前記駆動機構部を、前記シャッター枠部の側部に配置することができる。
【００３１】
上記所定の電子機器は、例えば、前方の車両や障害物を識別するセンサー、前方の車両や障害物との距離を計測するセンサーとしてのミリ波レーダーやマイクロ波レーダーなどとすることができる。あるいは前方を撮像するカメラなどとすることができる。
【００３２】
この発明により、自動車の前部整流構造は、シャッターユニットの車両前方に所定の電子機器を配置した際、駆動機構部が発する電磁ノイズによって、所定の電子機器に不具合が生じることを抑制できる。
【００３３】
具体的には、例えば、駆動モーターを駆動機構部に備えた場合、駆動モーターの回転に伴って、駆動機構部が、電磁ノイズを発することがある。このため、駆動機構部と所定の電子機器とが近接するほど、所定の電子機器は、電磁ノイズの影響を受け易くなり、車両前方の状態を誤検知するおそれがあった。
【００３４】
そこで、車幅方向の略中央に所定の電子機器を備え、シャッター枠部における車幅方向の外側に駆動機構部を配置したことにより、所定の電子機器は、駆動機構部に対して離間できるため、駆動機構部が発する電磁ノイズの影響を受け難くなる。
【００３５】
従って、自動車の前部整流構造は、車幅方向の略中央に所定の電子機器を備え、シャッター枠部の側部に駆動機構部を配置したことにより、駆動機構部が発する電磁ノイズによって、所定の電子機器に不具合が生じることを抑制できる。
【００３６】
またこの発明の態様として、前記シャッターユニットよりも車両上方側に、冷却が所望される発熱機器を備え、前記導風部材に、前記シャッターユニットの前記駆動機構部よりも車両上方において、前記発熱機器近傍と連通する連通路を備えることができる。
【００３７】
上記シャッターユニットよりも車両上方側とは、シャッターユニットの上方、またはシャッターユニットの上方において車幅方向にオフセットした位置をいう。  
上記発熱機器は、例えば、前照灯で構成されたヘッドライトユニット、あるいは前照灯や車幅灯などで構成されたヘッドライトユニットなどとすることができる。  
上記連通路は、例えば、車両上方側が開口した正面視略コ字状の導風部材における上方部分を切り欠いて形成した連通路とすることができる。もしくは正面視略矩形の導風部材における側部、あるいは上部の一部を開口形成した連通路などとすることができる。
【００３８】
この発明により、自動車の前部整流構造は、発熱機器に外気を供給できるとともに、発熱機器によって加熱された熱気に駆動機構部がさらされることを防止できる。  
具体的には、シャッターユニットの車両上方には、例えば、ＬＥＤヘッドランプのように動作によって発熱する発熱機器が配置されていることがある。このような発熱機器は、内蔵した回路基板などの保護、及び安定した動作のため、強制的な冷却が必要となる。
【００３９】
ところが、例えば、シャッターユニットよりも車両上方で、かつ車幅方向の外側にオフセットした位置に発熱機器が配置された場合、導風部材における車両上下方向の長さによっては、グリル開口部から流入した外気が、発熱機器に供給されないおそれがある。
【００４０】
そこで、導風部材に連通路を設けたことにより、導風部材は、グリル開口部から流入した外気を、駆動機構部、及び発熱機器に導風することができる。この際、導風部材は、フラップの開閉状態に関わらず、発熱機器へ外気を導風できるため、冷却が所望される発熱機器を安定して冷却することができる。
【００４１】
さらに、駆動機構部よりも車両上方に連通路を備えているため、導風部材は、発熱機器によって加熱された熱気が、導風部材の内部空間へ流入することを防止できる。
【００４２】
従って、自動車の前部整流構造は、駆動機構部よりも車両上方に連通路によって、フラップの開閉状態に関わらず、発熱機器に外気を供給できるとともに、発熱機器によって加熱された熱気に駆動機構部がさらされることを防止できる。
【発明の効果】
【００４３】
本発明により、シャッターユニットを通過する外気の流動を阻害することなく、車両前部を還流する熱気による駆動機構部の不具合を防止できる自動車の前部整流構造を提供することができる。
【図面の簡単な説明】
【００４４】
【図１】自動車における車両前部の正面視を示す正面図。
【図２】車両前部における内部構成の外観を示す外観斜視図。
【図３】導風部材を取外した状態における車両前部の外観を示す分解斜視図。
【図４】車両前部における要部を示す正面図。
【図５】フラップが開いた状態における図１中のＡ−Ａ矢視断面図。
【図６】前方下方からのシャッターユニットの外観を示す外観斜視図。
【図７】フラップが閉じた状態における図１中のＡ−Ａ矢視断面図。
【図８】後方下方からの導風部材の外観を示す外観斜視図。
【図９】フラップが開いた状態における外気の流れを説明する説明図。
【図１０】フラップが閉じた状態における外気の流れを説明する説明図。
【発明を実施するための形態】
【００４５】
この発明の一実施形態を以下図面と共に説明する。  
まず、本実施形態における自動車１は、インタークーラー付過給機を備えたエンジン（図示省略）を、車両前部２に搭載した車両である。この自動車１における車両前部２について、図１から図８を用いて詳しく説明する。
【００４６】
なお、図１は自動車１における車両前部２の正面図を示し、図２は車両前部２における内部構成の外観斜視図を示し、図３は導風部材６０を取外した状態における車両前部２の分解斜視図を示し、図４は車両前部２における要部の正面図を示し、図５はフラップ５１が開いた状態における図１中のＡ−Ａ矢視断面図を示し、図６は前方下方からのシャッターユニット５０の外観斜視図を示し、図７はフラップ５１が閉じた状態における図１中のＡ−Ａ矢視断面図を示し、図８は後方下方からの導風部材６０の外観斜視図を示している。
【００４７】
さらに、要部の図示を明確にするため、図２及び図３中において、ホーン４１の図示を省略するとともに、図５及び図７中において、車両前部２の下部の図示を省略している。  
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図中の上方を車両上方とし、図中の下方を車両下方とする。
【００４８】
自動車１の車両前部２は、図１に示すように、前輪３の上方に配置した左右一対のフロントフェンダー４と、左右一対のフロントフェンダー４における前方の開口を覆うように配置したバンパーフェース５と、左右一対のフロントフェンダー４で囲われた車両上方の開口を開閉自在に覆うボンネット６と、バンパーフェース５及びボンネット６の前端の間を閉塞するボンネットガーニッシュ７とで構成している。
【００４９】
さらに、車両前部２の車幅方向両端には、フロントフェンダー４、バンパーフェース５、及びボンネット６に囲われた左右一対のヘッドライトユニット８を配置している。  
そして、バンパーフェース５における車幅方向略中央には、車両前部２の内部に外気を取り込む取込口として、下部グリル開口部９と、上部グリル開口部１０とを、車両下方からこの順番で開口形成している。
【００５０】
下部グリル開口部９は、図１に示すように、バンパーフェース５の下部において、車幅方向に長い正面視略矩形に開口形成している。この下部グリル開口部９は、車両前部２の内部に配置したインタークーラー４４に対して、車両前方側で対向する部分を車両前後方向に沿って開口形成している。なお、インタークーラー４４については、後ほど詳しく説明する。
【００５１】
上部グリル開口部１０は、図１に示すように、バンパーフェース５における車幅方向略中央部分を、車両上方が開口した正面視略逆五角形状に凹設した凹設部分に対して装着したフロントグリル１１と、ボンネットガーニッシュ７とで、正面視略逆五角形状の開口を構成している。
【００５２】
なお、フロントグリル１１は、図１及び図５に示すように、バンパーフェース５の凹設部分における縁端に沿うように形成するとともに、車両上方が開口した形状に形成している。このフロントグリル１１には、車幅方向に延びるフィンを車両上下方向に所定間隔を隔てて並置するとともに、車幅方向略中央の車両上方側に社名などを示すエンブレム１１ａを配置している。
【００５３】
この上部グリル開口部１０は、図１に示すように、正面視において、車両前部２の内部に配置した左右一対のホーン４１、及びシャッターユニット５０を、一体的に囲繞するような大きさの開口に構成している。  
なお、左右一対のホーン４１、及びシャッターユニット５０については、後ほど詳しく説明する。
【００５４】
このような外観の車両前部２の内部には、図２から図５に示すように、車両前後方向に延びる左右一対のフロントサイドフレーム２１と、フランジ２２を介してフロントサイドフレーム２１の前端に連結するとともに、フランジ２２から車両前方に延びるクラッシュカン２３と、クラッシュカン２３の前端同士を車幅方向で連結するバンパーレインフォースメント２４とを配置している。
【００５５】
さらに、車両前部２の内部には、フロントサイドフレーム２１よりも車幅方向外側、かつ車両上方において、車両前後方向に延びる左右一対のエプロンレインフォースメント（図示省略）と、左右一対のエプロンレインフォースメントの前端同士を車幅方向で連結するシュラウドアッパパネル２５と、車幅方向略中央において、シュラウドアッパパネル２５、及びバンパーレインフォースメント２４を連結するステー部材２６とを配置している。
【００５６】
加えて、車両前部２の内部には、ボンネットガーニッシュ７及びシュラウドアッパパネル２５との隙間を閉塞するクーリングパネル２７（図５参照）と、バンパーレインフォースメント２４、及びシュラウドアッパパネル２５に支持されたシュラウド部材２８と、シュラウド部材２８の下部に支持された脚払い部材２９とを配置している。
【００５７】
バンパーレインフォースメント２４の後面には、図３に示すように、車両後方に向けて設けるとともに、シュラウド部材２８を支持する左右一対のブラケット２４ａを予め接合している。  
また、シュラウドアッパパネル２５は、図２及び図５に示すように、車両前後方向において、クラッシュカン２３の後端近傍と略同位置に配置している。
【００５８】
また、ステー部材２６の下部には、図３に示すように、後述する導風部材６０を締結する締結ボルト３１が螺合するネジ孔２６ａを形成している。  
また、シュラウド部材２８は、図２から図４に示すように、合成樹脂製の正面視略矩形の枠状体であって、左右一対のクラッシュカン２３の間に配置している。
【００５９】
詳述すると、シュラウド部材２８は、車幅方向に延びるとともに、シュラウドアッパパネル２５に支持されるシュラウド上部２８１と、シュラウド上部２８１の車幅方向両端から車両下方に延びる左右一対のシュラウド側部２８２と、車幅方向に所定間隔を隔てて、シュラウド側部２８２の間に介在するとともに、シュラウド上部２８１から車両下方に延びる２つのシュラウド中間支柱部２８３と、シュラウド側部２８２、及びシュラウド中間支柱部２８３の下端同士を車幅方向に連結するシュラウド下部（図示省略）とで一体形成している。
【００６０】
そして、シュラウド部材２８は、シュラウド上部２８１、及びシュラウド下部の間において、シュラウド側部２８２とシュラウド中間支柱部２８３との間の空間を、車両前後方向に開口した導風路２８ａとして構成している。この導風路２８ａは、上部グリル開口部１０を介して流入した外気が車両後方へ流下する流路として機能する。
【００６１】
シュラウド側部２８２には、図３に示すように、バンパーレインフォースメント２４のブラケット２４ａに締結する締結ボルトが螺合するネジ孔（図示省略）と、後述するシャッターユニット５０の側部を締結する締結ボルト３２が螺合するネジ孔（図示省略）と、導風部材６０の上部を支持する第１支持部２８４とを、車両下方からこの順番で設けている。
【００６２】
なお、第１支持部２８４は、車両前方へ突出した略柱状体であって、導風部材６０を固定する樹脂クリップ３３が装着されるクリップ装着孔２８４ａを開口形成している。  
シュラウド中間支柱部２８３には、図３及び図４に示すように、締結ボルト３２が螺合するネジ孔よりも車両上方において、シャッターユニット５０の上部を締結する締結ボルト３４が螺合するネジ孔（図示省略）を設けている。
【００６３】
また、脚払い部材２９は、図２に示すように、合成樹脂製の略平板状であって、その前端部分が車両前方へ突出するように湾曲した形成している。この脚払い部材２９は、例えば、車両前部２が歩行者と接触した際、歩行者の脚を払ってボンネット６の上に掬い上げることで、歩行者に加わる衝突荷重を低減する機能を有している。
【００６４】
そして、上述した車両前部２の内部には、図３から図５に示すように、左右一対のヘッドライトユニット８と、シュラウドアッパパネル２５の前面に装着した左右一対のホーン４１と、ステー部材２６に装着した前方レーダー４２と、シュラウド部材２８の後側に装着したラジエーター４３と、バンパーレインフォースメント２４よりも車両下方に配置したインタークーラー４４と、バンパーレインフォースメント２４よりも車両上方に配置したシャッターユニット５０、及び導風部材６０とを備えている。
【００６５】
ヘッドライトユニット８は、図４に示すように、車両前部２の内部に位置するランプハウジング８ａが、シュラウドアッパパネル２５に支持されている。このランプハウジング８ａは、正面視において、車幅方向内側に突出するとともに、シュラウド側部２８２の前方でシュラウド側部２８２と重合する形状に形成している。
【００６６】
なお、ヘッドライトユニット８は、例えば、複数のＬＥＤを備えたランプユニットであって、ＬＥＤランプの点灯などを制御する回路基板などをランプハウジング８ａ内に収容した構成とする。
【００６７】
また、左右一対のホーン４１は、図４及び図５に示すように、正面視において、シュラウド側部２８２とシュラウド中間支柱部２８３との間における車幅方向外側の位置で、シュラウドアッパパネル２５の前面に設けたホーン支持部２５ａに、ホーンブラケット４２を介して装着固定している。このホーン４１は、正面視渦巻型の共鳴管を有する構成であって、共鳴管の開口であるホーン開口部４１ａを、車両下方に向けて配置している。
【００６８】
また、前方レーダー４２は、上部グリル開口部１０のエンブレム１１ａと車両前後方向で対向するように、ステー部材２６に装着している。この前方レーダー４２は、例えば、ミリ波レーダーなどであって、車両前方を走行する車両、あるいは車両前方の障害物との間隔を計測する機能を有している。
【００６９】
また、ラジエーター４３は、図４に示すように、シュラウド部材２８のシュラウド上部２８１、及びシュラウド下部に装着固定している。このラジエーター４３は、ラジエーターホース（図示省略）を介してエンジンと接続され、ラジエーター４３を介してエンジン内部を循環する冷却水を、車両前方からの外気によって冷却する機能を有している。
【００７０】
また、インタークーラー４４は、図３及び図５に示すように、バンパーレインフォースメント２４よりも車両下方において、シュラウド部材２８の前面に装着固定している。このインタークーラー４４は、インタークーラーホース（図示省略）を介して、エンジン及び過給機（図示省略）に接続され、過給機からエンジンに向けて流下する圧縮空気を、車両前方からの外気によって冷却する機能を有している。
【００７１】
また、シャッターユニット５０は、図３から図５に示すように、シュラウドアッパパネル２５とバンパーレインフォースメント２４との間における車両上下方向の長さに対して、略半分の車両上下方向の長さを有するとともに、車幅方向に長い正面視略矩形に構成している。
【００７２】
このシャッターユニット５０は、車両上下方向において、シュラウドアッパパネル２５とバンパーレインフォースメント２４との間における車両下方側で、かつホーン４１の下端に対して所定間隔を離間した位置に配置している。
【００７３】
さらに、シャッターユニット５０は、車両前後方向において、上部グリル開口部１０から車両後方に所定間隔を隔てるとともに、バンパーレインフォースメント２４の前端よりも車両後方側に、その前端が位置するように配置している。
【００７４】
なお、シャッターユニット５０は、開閉自在の複数のフラップ５１を備えており、フラップ５１の開閉によって、ラジエーター４３に対する外気の供給を制御する機能を有している。
【００７５】
詳述すると、シャッターユニット５０は、図４から図６に示すように、車幅方向に延びる複数のフラップ５１と、フラップ５１における車幅方向の両端を回転自在に支持する回転支持部５２と、複数のフラップ５１及び回転支持部５２を一体的に囲繞するシャッター枠部材５３と、フラップ５１を回転駆動するアクチュエーター５４とで構成している。
【００７６】
なお、複数のフラップ５１、及び回転支持部５２は、シャッター枠部材５３の内部空間において、車両右側から回転支持部５２、３つのフラップ５１、回転支持部５２、３つのフラップ５１、及び回転支持部５２の順番で配置している。
【００７７】
フラップ５１は、図５及び図６に示すように、車幅方向における車両右側、及び車両左側に、それぞれ車両上下方向に所定間隔を隔てて３つ並置している。この車両右側のフラップ５１と、車両左側のフラップ５１とは、車幅方向に沿った仮想線を回転軸とした同軸上に配置している。
【００７８】
詳述すると、フラップ５１は、上部グリル開口部１０からシャッター枠部材５３を介して車両後方へ外気が流下可能な状態、すなわちフラップ５１が開いた状態において、車幅方向に延びるフラップ軸部５１１と、フラップ軸部５１１から車両後方へ延設した略平板状のフラップ後部５１２と、フラップ軸部５１１から車両前方へ延設した略平板状のフラップ前部５１３とで一体形成している。
【００７９】
なお、フラップ５１は、車両前後方向に沿った断面において、車両上方に向けて緩やかに膨出した膨出部分５１４によって、フラップ後部５１２の上面とフラップ前部５１３の上面とが連続する断面形状に形成している。
【００８０】
フラップ前部５１３は、フラップ後部５１２に対して僅かに車両上方側に形成している。さらに、フラップ前部５１３における車両前後方向の長さは、フラップ後部５１２における車両前後方向の長さよりも短く形成している。
【００８１】
回転支持部５２は、シャッター枠部材５３の内部空間において、車両右側に配置した右側回転支持部５２ａと、車幅方向略中央に配置した中央回転支持部５２ｂと、車両左側に配置した左側回転支持部５２ｃとで構成している。
【００８２】
この右側回転支持部５２ａ、中央回転支持部５２ｂ、及び左側回転支持部５２ｃは、車両前後方向におけるホーン開口部４１ａの後端位置と略同位置において、フラップ５１のフラップ軸部５１１を回転自在に支持するとともに、左右のフラップ５１を一体的に回動可能に構成している。
【００８３】
詳述すると、回転支持部５２は、フラップ５１のフラップ軸部５１１を回転自在に軸支する軸支部などと、これらを収容する車両上下方向に長い正面視略矩形のハウジングなどで構成している。
【００８４】
そして、回転支持部５２は、車両右側のフラップ５１における右端を右側回転支持部５２ａが回転自在に支持し、車両右側のフラップ５１における左端、及び車両左側のフラップ５１における右端を中央回転支持部５２ｂが回転自在に支持し、車両左側のフラップ５１における左端を左側回転支持部５２ｃが回転自在に支持するように構成している。
【００８５】
シャッター枠部材５３は、図５及び図６に示すように、合成樹脂製の筒状体であって、車両上方に位置する天板部５３１と、車両下方に所定間隔を隔てて天板部５３１と対面する底板部５３２と、天板部５３１の右端及び底板部５３２の右端を連結する右側面部５３３と、天板部５３１の左端及び底板部５３２の左端を連結する左側面部５３４とで正面視略矩形に形成している。
【００８６】
さらに、シャッター枠部材５３には、シュラウド部材２８のシュラウド側部２８２に固定される２つの側方取付部５３５と、シュラウド部材２８のシュラウド中間支柱部２８３に固定される２つの上方取付部５３６と、導風部材６０の下部を支持する２つの第２支持部５３７とを一体形成している。
【００８７】
なお、シャッター枠部材５３は、シュラウド部材２８に装着した状態において、バンパーレインフォースメント２４の上面よりも車両上方に底板部５３２が位置するように、側方取付部５３５、及び上方取付部５３６を備えている。
【００８８】
天板部５３１は、フラップ５１が開いた状態において、フラップ５１の前端よりも車両前方に前端が位置する略庇状に形成している。  
詳述すると、天板部５３１は、図５に示すように、フラップ５１のフラップ軸部５１１よりも車両後方側に位置する天板後部５３１ａと、フラップ軸部５１１よりも車両前方側に位置する天板前部５３１ｂとで一体形成している。
【００８９】
天板後部５３１ａは、車幅方向に長い平面視略矩形の略平板状であって、その下面が車両後方上方へ向けて傾斜した形状に形成している。  
天板前部５３１ｂは、天板後部５３１ａの前端における肉厚よりも車両下方側に厚肉で、天板後部５３１ａの前端から車両前方へ向けて延設している。このため、天板前部５３１ｂの後端には、天板後部５３１ａよりも車両下方に突出するとともに、略鉛直な後面が形成されている。
【００９０】
さらに、天板前部５３１ｂの前端は、図３及び図６に示すように、車両前部２に装着した際、ステー部材２６と対向する車幅方向略中央近傍を除く部分を、車両前方へ向けて平面視略円弧状に湾曲させた形状に形成している。
【００９１】
この天板前部５３１ｂの前端は、図５に示すように、車幅方向におけるホーン４１の略中央で、かつ車両前後方向に沿った断面において、ホーン開口部４１ａの前端よりも車両後方に位置する断面形状に形成している。
【００９２】
加えて、天板前部５３１ｂの下面には、図６に示すように、車両上方へ凹設するとともに、車両前後方向に沿って延びる天板導風溝５３１ｃを、車幅方向に所定間隔を隔てて４つ形成している。
【００９３】
底板部５３２は、平面視において、天板部５３１と略同形状に形成している。  
詳述すると、底板部５３２は、図５に示すように、フラップ５１のフラップ軸部５１１よりも車両後方側に位置する底板後部５３２ａと、フラップ軸部５１１よりも車両前方側に位置する底板前部５３２ｂとで一体形成している。
【００９４】
底板後部５３２ａは、天板後部５３１ａと略同等の大きさで、車幅方向に長い平面視略矩形の略平板状であって、その上面が車両後方下方へ向けて傾斜した形状に形成している。
【００９５】
底板前部５３２ｂは、底板後部５３２ａの前端における肉厚よりも薄肉で、底板後部５３２ａの車両上下方向略中央から車両前方下方へ向けて傾斜するように延設している。このため、底板後部５３２ａの前端には、底板前部５３２ｂよりも車両上方に突出するとともに、略鉛直な前面が形成されている。
【００９６】
さらに、底板前部５３２ｂの前端は、図３及び図６に示すように、車両前部２に装着した際、ステー部材２６と対向する車幅方向略中央近傍を除く部分を、車両前方へ向けて平面視略円弧状に湾曲させた形状に形成している。
【００９７】
加えて、底板前部５３２ｂには、図３及び図６に示すように、車両下方へ凹設するとともに、車両前後方向に沿って延びる底板導風溝５３２ｃを、車幅方向に所定間隔を隔てて６つ形成している。
【００９８】
右側面部５３３、及び左側面部５３４は、車幅方向に所定の厚みを有する側面視略矩形の平板状に形成している。  
側方取付部５３５は、図３及び図６に示すように、右側面部５３３、及び左側面部５３４の後端から、それぞれ車幅方向の外側へ向けて延設した平面視略矩形の略平板状に形成している。この側方取付部５３５には、シュラウド側部２８２のネジ孔に螺合する締結ボルト３２が挿通するボルト挿通孔（図示省略）を開口形成している。
【００９９】
上方取付部５３６は、図３及び図４に示すように、天板後部５３１ａの上面から車両上方へ向けて立設している。この上方取付部５３６には、シュラウド中間支柱部２８３のネジ孔に螺合する締結ボルト３４が挿通するボルト挿通孔（図示省略）を開口形成している。
【０１００】
第２支持部５３７は、図３及び図６に示すように、シャッター枠部材５３における車両右下の隅部近傍、及び車両左下の隅部近傍に形成している。  
詳述すると、第２支持部５３７は、右側面部５３３の車両前方下端、及び左側面部５３４の車両前方下端から、それぞれ車幅方向外側へ向けて延設した正面視略矩形の平板部分５３７ａと、平板部分５３７ａの上端、及び側方取付部５３５の下端を連結する上面部分５３７ｂと、平板部分５３７ａにおける車幅方向外側の縁端、及び側方取付部５３５の下端を連結する側面部分５３７ｃとで一体形成している。
【０１０１】
さらに、平板部分５３７ａには、導風部材６０を固定する樹脂クリップ３５が装着されるクリップ装着孔５３７ｄを開口形成している。  
そして、車両右側の第２支持部５３７は、右側面部５３３とで、車両前後方向に延びるとともに、車両下方側が開口した略ボックス状に構成している。一方、車両左側の第２支持部５３７は、左側面部５３４とで、車両前後方向に延びるとともに、車両下方側が開口した略ボックス状に構成している。
【０１０２】
アクチュエーター５４は、駆動モーターや、複数の歯車などを、所定のハウジングに収容して構成している。このアクチュエーター５４は、図６に示すように、シャッター枠部材５３の右側面部５３３に装着するとともに、右側回転支持部５２ａに連結して、複数のフラップ５１を一体的に回動可能に構成している。
【０１０３】
上述した構成のシャッターユニット５０は、図５に示したフラップ５１が開いた状態から、アクチュエーター５４がフラップ５１を回動させることで、車両後方への外気の流下を阻害するフラップ５１が閉じた状態（図７参照）に移行する。この際、フラップ５１は、フラップ軸部５１１を回転中心として、フラップ後部５１２が車両上方前方へ向けて回転する。
【０１０４】
そして、フラップ５１が閉じた状態において、最上段に位置するフラップ５１は、図７に示すように、天板前部５３１ｂの後面にフラップ後部５１２が回転方向で当接するとともに、中段に位置するフラップ５１のフラップ後部５１２にフラップ前部５１３が回転方向で当接する。
【０１０５】
一方、最下段に位置するフラップ５１は、図７に示すように、中段に位置するフラップ５１のフラップ前部５１３にフラップ後部５１２が回転方向で当接するとともに、底板後部５３２ａの前面にフラップ前部５１３が回転方向で当接する。  
このようにして、シャッターユニット５０は、シャッター枠部材５３の内部を外気が流下可能な状態と、シャッター枠部材５３の内部を外気が流下不可な状態とに移行する。
【０１０６】
また、導風部材６０は、図２、図３及び図５に示すように、上部グリル開口部１０の下部と、フラップ５１との間を閉塞するように配置している。この導風部材６０は、図４に示すように、車両上方側が開口した合成樹脂製の正面視略コ字状であって、正面視において、シャッター枠部材５３及びアクチュエーター５４を一体的に囲繞する大きさに形成している。
【０１０７】
詳述すると、導風部材６０は、図３から図５に示すように、上部グリル開口部１０の下部、及びフラップ５１の間に配置した下面部６１と、下面部６１における車幅方向の両端から車両上方へ立設した左右一対の側壁部６２とで一体形成している。
【０１０８】
さらに、導風部材６０には、シュラウド部材２８の第１支持部２８４に固定される２つの第１固定部６３と、シャッターユニット５０の第２支持部５３７に固定される２つの第２固定部６４と、ステー部材２６に固定される１つの第３固定部６５とを一体形成している。  
加えて、導風部材６０は、上部グリル開口部１０から流入した外気がヘッドライトユニット８に向けて流下可能な開口である導風開口６０ａを、側壁部６２の上方に設けている。
【０１０９】
下面部６１は、図３、図５、及び図８に示すように、シャッターユニット５０に装着した状態において、シャッターユニット５０における車幅方向の長さと略同等の車幅方向の長さを有する形状に形成している。
【０１１０】
さらに、下面部６１は、シャッターユニット５０に装着した状態において、バンパーレインフォースメント２４の前端と略同位置に前端が位置するとともに、シャッターユニット５０の底板部５３２の前端よりも車両後方に後端が位置する車両前後方向の長さを有する形状に形成している。
【０１１１】
具体的には、下面部６１は、図３、図５、及び図８に示すように、シャッターユニット５０の底板部５３２に対して車両上方に所定間隔を隔てた位置で対面する上段面部分６１１と、バンパーレインフォースメント２４の上面に対して車両上方に所定間隔を隔てた位置で対面する下段面部分６１２と、上段面部分６１１の前端及び下段面部分６１２の後端を車両上下方向に連結する前方壁部分６１３とで構成している。
【０１１２】
上段面部分６１１は、正面視において、車幅方向の両端が車両下方へ下がった段付き形状に形成している。この上段面部分６１１は、車両前後方向に沿った断面において、シャッターユニット５０の底板部５３２における前端よりも車両後方に後端が位置するとともに、後端から車両前方下方へ向けて僅かに傾斜した断面形状に形成している。
【０１１３】
換言すると、上段面部分６１１は、シャッターユニット５０に装着した状態において、その後端近傍が、車両上下方向に所定間隔を隔てて、シャッターユニット５０の底板部５３２における前端近傍と重合するように形成している。
【０１１４】
下段面部分６１２は、正面視において、上段面部分６１１における車幅方向の両端に向けて、車幅方向の両端が車両上方へ向けて緩やかに傾斜した形状に形成している。この下段面部分６１２は、車両前後方向に沿った断面において、後端から車両前方下方へ向けて僅かに傾斜した断面形状に形成している。  
さらに、下段面部分６１２には、車両下方へ向けて凹設するとともに、車両前後方向に延びる導風溝６１２ａを、車幅方向に所定間隔を隔てて２つ形成している。
【０１１５】
側壁部６２は、図３及び図８に示すように、車幅方向に所定の厚みを有する平板状の側壁本体部分６２１と、側壁本体部分６２１の前端に沿って形成した外方縁部分６２２と、側壁本体部分６２１の後端及び下端に沿って形成した内方縁部分６２３とで構成している。
【０１１６】
側壁本体部分６２１は、図４に示すように、シャッターユニット５０よりも車両上方、かつヘッドライトユニット８のランプハウジング８ａよりも車両下方に、上端が位置する車両上下方向の長さで立設している。
【０１１７】
これにより、導風部材６０は、車両前部２に装着した状態において、シュラウドアッパパネル２５とシャッターユニット５０の間における車両上方側に、ヘッドライトユニット８へ向けて外気が流下可能な空間である導風開口６０ａを形成している。
【０１１８】
外方縁部分６２２は、側壁本体部分６２１の前端を車幅方向外側へ向けて略直角に延設するとともに、その下端が下面部６１の前端近傍と連結するように形成している。  
内方縁部分６２３は、側壁本体部分６２１の後端及び下端を車幅方向内側へ向けて略直角に延設して形成するとともに、その下端が下面部６１における車幅方向の縁端と連結するように形成している。
【０１１９】
第１固定部６３は、左右一対の側壁部６２の上端にそれぞれ形成している。詳述すると、第１固定部６３は、内方縁部分６２３の上端から側壁本体部分６２１の上端に沿って車両前方へ延設したのち、車両上方へ向けて立設した正面視略矩形の平板状に形成している。この第１固定部６３には、樹脂クリップ３３が挿通するクリップ挿通孔６３ａを開口形成している。
【０１２０】
第２固定部６４は、下面部６１における車幅方向の両端に、車両上方へ向けて立設した略平板状に形成している。詳述すると、第２固定部６４は、上段面部分６１１の車両下方へ下がった部分の後端と、側壁部６２の内方縁部分６２３とを連結するように車両上方へ立設している。
【０１２１】
さらに、第２固定部６４には、樹脂クリップ３５が挿通するクリップ挿通孔６４ａを開口形成している。このクリップ挿通孔６４ａは、シャッターユニット５０の底板部５３２から車両上方に所定間隔を隔てた位置に下面部６１が位置する状態で、シャッターユニット５０の第２支持部５３７に樹脂クリップ３５を装着可能な位置に開口形成している。
【０１２２】
第３固定部６５は、下面部６１における車幅方向略中央に車両上方へ向けて形成している。詳述すると、第３固定部６５は、前方壁部分６１３における車幅方向略中央を車両上方へ延設するとともに、上段面部分６１１と連結するように延設した平面視略コ字状に形成している。この第３固定部６５には、ステー部材２６の下部に設けたネジ孔２６ａに螺合する締結ボルト３１が挿通するボルト挿通孔６５ａを開口形成している。
【０１２３】
このような構成の導風部材６０には、図３及び図８に示すように、外方縁部分６２２における上部及び下部の前面、内方縁部分６２３における後面及び下面、前方壁部分６１３の後面、並びに下段面部分６１２の下面に、弾性を有する略角柱状のスポンジ６６を貼付している。
【０１２４】
外方縁部分６２２における上部及び下部の前面に貼付したスポンジ６６は、車両前部２に導風部材６０を装着した状態において、バンパーフェース５の後面と当接するように配置している。  
内方縁部分６２３における後面に貼付したスポンジ６６は、車両前部２に導風部材６０を装着した状態において、シャッターユニット５０の側方取付部５３５と当接するように配置している。  
内方縁部分６２３における下面、前方壁部分６１３の後面、並びに下段面部分６１２の下面に貼付したスポンジ６６は、バンパーレインフォースメント２４と当接するように配置している。
【０１２５】
次に、上述した構成の車両前部２において、上部グリル開口部１０から流入した外気Ｗの流れについて、図９及び図１０を用いて詳しく説明する。  
なお、図９はフラップ５１が開いた状態における外気Ｗの流れを説明する説明図を示し、図１０はフラップ５１が閉じた状態における外気Ｗの流れを説明する説明図を示している。
【０１２６】
まず、フラップ５１が開いた状態の場合、上部グリル開口部１０から流入した外気Ｗは、図９に示すように、ホーン４１の周辺、及びシャッターユニット５０のフラップ５１の間を通って、シュラウド部材２８の導風路２８ａから車両後方へ向けて流下する。
【０１２７】
一方、フラップ５１が閉じた状態の場合、上部グリル開口部１０の下部から流入した外気Ｗは、図１０に示すように、フラップ５１によって車両後方への流動が阻害される。このため、上部グリル開口部１０の下部から流入した外気Ｗは、シャッターユニット５０によって車両上方へ偏向する。
【０１２８】
その後、車両上方へ偏向した外気Ｗは、導風部材６０における車両上方の開口と、導風開口６０ａとを通って車両上方へ流動するとともに、上部グリル開口部１０の上部から車両後方へ向けて流下する外気Ｗと合流して、車両後方へ流下する。
【０１２９】
この際、導風開口６０ａを通る外気Ｗは、ヘッドライトユニット８のランプハウジング８ａへ向けて流動したのち、上部グリル開口部１０の上部から車両後方へ向けて流下する外気Ｗと合流して車両後方へ向けて流下する。
【０１３０】
そして、外気Ｗは、ホーン４１の周辺、及びシュラウド部材２８の導風路２８ａを通って、ラジエーター４３の上部を通過したのち、ボンネット６の下面に沿うように車両後方へ流下する。つまり、フラップ５１が閉じた状態の場合、上部グリル開口部１０から流入した外気Ｗは、車両前部２の内部における上方部分を通って、車両後方へ流下する。
【０１３１】
以上のような外気Ｗの流れを実現する構成の自動車１の前部整流構造は、シャッターユニット５０を通過する外気Ｗの流動を阻害することなく、車両前部２を還流する熱気によるアクチュエーター５４の不具合を防止することができる。
【０１３２】
具体的には、シャッター枠部材５３の外周面にアクチュエーター５４を配置しているため、シャッターユニット５０は、シャッター枠部材５３の内部にアクチュエーター５４を配置した場合に比べて、フラップ５１が開いた状態におけるシャッター枠部材５３の開口面積を所望する大きさで、確実に確保することができる。
【０１３３】
そして、シャッター枠部材５３とアクチュエーター５４とを一体的に囲う形状に形成したことにより、導風部材６０は、上部グリル開口部１０から流入した外気Ｗをアクチュエーター５４にも導風することができる。このため、自動車１の前部整流構造は、フラップ５１の開閉状態に関わらず、シャッター枠部材５３の側面に配置したアクチュエーター５４を常時冷却することができる。
【０１３４】
さらに、上部グリル開口部１０から流入した外気によって、車両前部２を還流する熱気は、より車両上方へ流動し易くなる。このため、導風部材６０は、車両前部２を還流する熱気が、導風部材６０の側方から内部へ流入することを阻止することができる。
【０１３５】
これにより、自動車１の前部整流構造は、車両上方が開口した正面視略コ字状の導風部材６０であっても、車両前部２を還流する熱気に、アクチュエーター５４がさらされることを防止できる。
【０１３６】
従って、自動車１の前部整流構造は、シャッター枠部材５３の外周面に配置したアクチュエーター５４を一体的に囲う導風部材６０によって、シャッターユニット５０を通過する外気Ｗの流動を阻害することなく、車両前部２を還流する熱気によるアクチュエーター５４の不具合を防止することができる。
【０１３７】
また、上部グリル開口部１０に対して車両前後方向で対向配置するとともに、上部グリル開口部１０の開口範囲内において対向可能な大きさで、シャッターユニット５０を形成したことにより、自動車１の前部整流構造は、シャッターユニット５０を通過する外気Ｗの流動を阻害することなく、アクチュエーター５４をより安定して冷却することができる。
【０１３８】
具体的には、上部グリル開口部１０の開口範囲内において対向可能な大きさにシャッターユニット５０を形成したことにより、アクチュエーター５４は、上部グリル開口部１０と確実に対向することができる。
【０１３９】
さらに、シャッター枠部材５３とアクチュエーター５４とを一体的に囲繞する導風部材６０により、自動車１の前部整流構造は、上部グリル開口部１０を介して流入した外気Ｗをより安定してアクチュエーター５４に導風することができる。
【０１４０】
加えて、正面視における上部グリル開口部１０の開口面積に対して、正面視におけるシャッター枠部材５３の面積が小さいため、シャッターユニット５０は、シャッター枠部材５３を通過する外気Ｗの流速が低下することを防止できる。
【０１４１】
このため、自動車１の前部整流構造は、シャッターユニット５０よりも車両後方に配置したラジエーター４３などに対して、外気Ｗを確実に供給することができる。  
従って、自動車１の前部整流構造は、上部グリル開口部１０の開口範囲内において対向可能な大きさにシャッターユニット５０を形成したことにより、シャッターユニット５０を通過する外気Ｗの流動を阻害することなく、アクチュエーター５４をより安定して冷却することができる。
【０１４２】
また、シャッター枠部材５３の右側面部５３３にアクチュエーター５４を備え、車両上方が開口した正面視略コ字状に導風部材６０を形成したことにより、自動車１の前部整流構造は、万一、フラップ５１が閉じたままの状態になっても、シャッターユニット５０よりも車両後方へ外気Ｗを供給することができ、例えば、エンジンルーム内の熱害を抑制することができる。
【０１４３】
具体的には、例えば、上部グリル開口部１０とシャッターユニット５０とを連結する略筒状の導風部材の場合、万一、フラップ５１が閉じたままの状態になると、シャッターユニット５０の後方に配置したラジエーター４３やエンジンに外気Ｗが供給されなくなる。このため、ラジエーター４３などを冷却することができず、かつエンジンによって暖められた熱気が滞留するため、エンジンルーム内において、各部品に熱害が発生するおそれがあった。
【０１４４】
そこで、車両上方が開口した正面視略コ字状に導風部材６０を形成したことにより、導風部材６０は、フラップ５１が閉じたシャッターユニット５０との協働によって、上部グリル開口部１０を介して流入した外気Ｗを、車両上方側の開口を介して、車両後方へ供給することができる。
【０１４５】
これにより、自動車１の前部整流構造は、万一、フラップ５１が閉じたままの状態になっても、シャッターユニット５０の後方における上部空間に溜まった熱気を、車両後方へ送風することができる。このため、自動車１の前部整流構造は、万一、フラップ５１が閉じたままの状態になっても、エンジンルーム内の熱害を抑制することができる。
【０１４６】
さらに、フラップ５１が閉じた状態の場合、シャッターユニット５０と導風部材６０との協働によって、ラジエーター４３やエンジンに対して、上部グリル開口部１０から流入した外気Ｗが直接的に供給され難くなる。
【０１４７】
このため、車両上方が開口した正面視略コ字状の導風部材６０であっても、自動車１の前部整流構造は、フラップ５１を閉じることで、エンジンルーム内の上部空間に溜まり易い熱気を車両後方へ送風しながら、冷却水や潤滑油を所望する温度に早期に上昇させることができる。
【０１４８】
従って、自動車１の前部整流構造は、車両上方が開口した正面視略コ字状の導風部材６０によって、万一、フラップ５１が閉じたままの状態になっても、シャッターユニット５０よりも車両後方へ外気Ｗを供給することができ、例えば、エンジンルーム内の熱害を抑制することができる。
【０１４９】
また、ステー部材２６に前方レーダー４２を備え、シャッター枠部材５３の右側面部５３３にアクチュエーター５４を配置したことにより、自動車１の前部整流構造は、アクチュエーター５４が発する電磁ノイズによって、前方レーダー４２に不具合が生じることを抑制できる。
【０１５０】
具体的には、駆動モーターをアクチュエーター５４に備えた場合、駆動モーターの回転に伴って、アクチュエーター５４が、電磁ノイズを発することがある。このため、アクチュエーター５４と前方レーダー４２とが近接するほど、前方レーダー４２は、電磁ノイズの影響を受け易くなり、車両前方の状態を誤検知するおそれがあった。
【０１５１】
そこで、ステー部材２６に前方レーダー４２を備え、シャッター枠部材５３の右側面部５３３にアクチュエーター５４を配置したことにより、前方レーダー４２は、アクチュエーター５４に対して離間できるため、アクチュエーター５４が発する電磁ノイズの影響を受け難くなる。
【０１５２】
従って、自動車１の前部整流構造は、ステー部材２６に前方レーダー４２を備え、シャッター枠部材５３の右側面部５３３にアクチュエーター５４を配置したことにより、アクチュエーター５４が発する電磁ノイズによって、前方レーダー４２に不具合が生じることを抑制できる。
【０１５３】
また、ヘッドライトユニット８近傍と連通する導風開口６０ａを導風部材６０に備えたことにより、自動車１の前部整流構造は、フラップ５１の開閉状態に関わらず、ヘッドライトユニット８に外気Ｗを供給できるとともに、ヘッドライトユニット８による熱気がアクチュエーター５４へ流動することを抑制できる。
【０１５４】
具体的には、例えば、ＬＥＤランプのように動作によって発熱するヘッドライトユニット８の場合、ヘッドライトユニット８は、内蔵した回路基板などの保護、及び安定した動作のため、強制的な冷却が必要となる。
【０１５５】
そこで、導風部材６０に導風開口６０ａを設けたことにより、導風部材６０は、上部グリル開口部１０から流入した外気Ｗを、アクチュエーター５４、及びヘッドライトユニット８に導風することができる。
【０１５６】
この際、導風部材６０は、フラップ５１の開閉状態に関わらず、ヘッドライトユニット８へ外気Ｗを導風できるため、冷却が所望されるヘッドライトユニット８を安定して冷却することができる。
【０１５７】
さらに、アクチュエーター５４よりも車両上方に導風開口６０ａを備えているため、導風部材６０は、ヘッドライトユニット８による熱気が、導風部材６０の内部空間へ流入することを防止できる。
【０１５８】
従って、自動車１の前部整流構造は、アクチュエーター５４よりも車両上方に導風開口６０ａによって、フラップ５１の開閉状態に関わらず、ヘッドライトユニット８に外気Ｗを供給できるとともに、ヘッドライトユニット８によって加熱された熱気にアクチュエーター５４がさらされることを防止できる。
【０１５９】
また、導風部材６０の第３固定部６５と、ステー部材２６とを連結したことにより、自動車１の前部整流構造は、シャッター枠部材５３の車幅方向略中央に導風部材６０を直接的に連結した場合に比べて、複数のフラップ５１をより安定して回動させることができる。
【０１６０】
具体的には、例えば、シャッター枠部材５３における底板部５３２の車幅方向略中央に導風部材６０を直接的に連結した場合、上部グリル開口部１０から流入した外気Ｗの圧力変動による下面部６１の振動が、剛性の低い底板部５３２を介して伝達されると、シャッター枠部材５３に振動によるゆがみが生じることがある。
【０１６１】
このため、例えば、シャッター枠部材５３に支持されたリンク機構によって、複数のフラップ５１を回動させる構成の場合、シャッター枠部材５３のゆがみによって、摺動抵抗の増加や軸ずれなどが生じて、リンク機構の動作が阻害されるおそれがあった。
【０１６２】
特に、複数のフラップ５１を回動させるリンク機構は、単一のフラップを回動させるリンク機構に比べて、その構造が複雑になり易いため、シャッター枠部材５３のゆがみによる影響を受けやすい。
【０１６３】
そこで、導風部材６０の第３固定部６５と、ステー部材２６とを連結したことにより、自動車１の前部整流構造は、導風部材６０の振動をステー部材２６に伝達することができ、シャッター枠部材５３への振動伝達を抑制することができる。
【０１６４】
これにより、自動車１の前部整流構造は、振動によるシャッター枠部材５３のゆがみを抑制することができる。このため、シャッター枠部材５３に支持されたリンク機構によって、複数のフラップ５１を回動させる構成であっても、自動車１の前部整流構造は、リンク機構の動作が阻害されることを防止できる。
【０１６５】
従って、自動車１の前部整流構造は、導風部材６０の第３固定部６５と、ステー部材２６とを連結したことで、シャッター枠部材５３の車幅方向略中央に導風部材６０を直接的に連結した場合に比べて、振動によるシャッター枠部材５３のゆがみを抑制でき、複数のフラップ５１をより安定して回動させることができる。
【０１６６】
この発明の構成と、上述の実施形態との対応において、
この発明のグリル開口部は、実施形態の上部グリル開口部１０に対応し、
以下同様に、
シャッター枠部は、シャッター枠部材５３に対応し、
駆動機構部は、アクチュエーター５４に対応し、
シャッター枠部の外周面、シャッター枠部の側部は、シャッター枠部材５３の右側面部５３３に対応し、
所定の電子機器は、前方レーダー４２に対応し、
発熱機器は、ヘッドライトユニット８に対応し、
連通路は、導風開口６０ａに対応するが、
この発明は、上述の実施形態の構成のみに限定されるものではなく、多くの実施の形態を得ることができる。
【０１６７】
例えば、上述した実施形態において、シャッターユニット５０、及び導風部材６０の第１固定部６３をシュラウド部材２８に取付ける構成としたが、これに限定せず、剛性の高い車体側部材であれば、例えば、シュラウド部材２８を支持する適宜の車体側部材であってもよい。  
また、車両上下方向にフラップ５１を並置したシャッターユニット５０としたが、これに限定せず、車幅方向にフラップを並置したシャッターユニットであってもよい。
【０１６８】
シャッター枠部材５３の右側面部５３３にアクチュエーター５４を配置したが、これに限定せず、シャッター枠部材５３の天板部５３１の上面、あるいは底板部５３２の下面にアクチュエーター５４を配置してもよい。この場合、導風部材６０は、シャッター枠部材５３とアクチュエーター５４とを一体的に囲繞する車両上下方向の長さを有する形状に形成する。
【０１６９】
また、合成樹脂製の導風部材６０としたが、これに限定せず、金属製の薄板を折り曲げ加工して形成した導風部材としてもよい。  
また、車両上方側が開口した正面視略コ字状の導風部材６０としたが、これに限定せず、車両下方側が開口した正面視略コ字状の導風部材、あるいは正面視略矩形の筒状体の導風部材としてもよい。
【０１７０】
また、車両前方を走行する車両、あるいは車両前方の障害物との間隔を計測する前方レーダー４２としたが、これに限定せず、車両前方を撮像するカメラなどであってもよい。
【０１７１】
また、導風開口６０ａを、側壁部６２の上方を切欠くようにして導風部材６０に設けたが、これに限定せず、側壁部６２の一部を開口した導風開口であってもよい。あるいは、正面視略矩形の導風部材の場合、上面部分の一部を開口した導風開口であってもよい。
【符号の説明】
【０１７２】
２…車両前部
５…バンパーフェース
８…ヘッドライトユニット
１０…上部グリル開口部
２４…バンパーレインフォースメント
４２…前方レーダー
５０…シャッターユニット
５１…フラップ
５３…シャッター枠部材
５４…アクチュエーター
６０…導風部材
６０ａ…導風開口
５３３…右側面部
【図１】
0006380292.tif 000002
【図２】
0006380292.tif 000003
【図３】
0006380292.tif 000004
【図４】
0006380292.tif 000005
【図５】
0006380292.tif 000006
【図６】
0006380292.tif 000007
【図７】
0006380292.tif 000008
【図８】
0006380292.tif 000009
【図９】
0006380292.tif 000010
【図１０】
0006380292.tif 000011